【手続補正書】
【提出日】平成21年12月17日(2009.12.17)
【手続補正１】
【補正対象書類名】特許請求の範囲
【補正対象項目名】全文
【補正方法】変更
【補正の内容】
【特許請求の範囲】
【請求項１】
裏側から入射する光を表側に向けて散乱可能な散乱板と、
前記裏側から斜めに前記散乱板で結像するように投射光を照射する投射手段と
を備え、
前記散乱板は、前記投射光の光路を前記散乱板の法線方向に近付ける側に曲げつつ前記
表側に向けて散乱するように構成されていることを特徴とする映像表示装置。
【請求項２】
前記散乱板は、前記投射光の入射方向に向いて開いている光通過用の空間を規定する第
１部分と、該光通過用の空間を介して前記投射光を前記表側に向けて散乱させる第２部分
とを有することを特徴とする請求項１に記載の映像表示装置。
【請求項３】
前記第１部分は、前記光通過用の空間の周囲を縁取る光反射膜を有し、
前記第２部分は、前記光反射膜で反射されることで前記投射光を前記表側に向けて散乱
させる凹凸表面を有する
ことを特徴とする請求項２に記載の映像表示装置。
【請求項４】
前記第１部分は、前記光通過用の空間内に充填された導光材料を有し、
前記第２部分は、前記導光材料で導光されることで前記投射光を前記表側に向けて散乱
させる凹凸表面を有する
ことを特徴とする請求項２に記載の映像表示装置。
【請求項５】
前記投射手段は、斜め上方から前記投射光を照射し、
前記第１部分は、前記光通過用の空間として、水平方向に延びるストライプ状の隙間を
規定する
ことを特徴とする請求項２から４のいずれか一項に記載の映像表示装置。
【請求項６】
投射光が照射されることで、映像が映し出される映像スクリーン装置であって、
裏側から入射する投射光を表側に向けて散乱可能な散乱板を備え、
前記散乱板は、前記裏側から斜めに入射する前記投射光の光路を、前記散乱板の法線方
向に近付ける側に曲げつつ前記表側に向けて散乱するように構成されていることを特徴と
する映像スクリーン装置。
【手続補正２】
【補正対象書類名】明細書
【補正対象項目名】０００６
【補正方法】変更
【補正の内容】
【０００６】
本件の参考発明に係る映像表示装置は上記課題を解決するために、構造物の透明壁の一
部に内蔵されており、前記透明壁の裏側から到来する光を前記透明壁の表側に向けて散乱
可能な散乱板と、前記裏側から前記散乱板で結像するように投射光を、前記到来する光と
して照射する投射手段とを備える。
【手続補正３】
【補正対象書類名】明細書
【補正対象項目名】０００７
【補正方法】変更
【補正の内容】
【０００７】
本件の参考発明に係る映像表示装置では、構造物の透明壁の一部として透明壁と一体的
に散乱板が形成されるか、或いは透明壁の一部に対して散乱板が貼り付ける等して配置さ
れる。ここに、本発明に係る「透明壁」とは、構造物として水族館用若しくは観賞用の水
槽の透明ガラス壁、透明アクリル壁、又は建造物のガラス壁、窓ガラス若しくはショーウ
インドウガラス等を意味し、且つ、透明壁の表側から裏側が見れれば、透明であるとの意
味であり、完全に透明である或いは透過率がほぼ１００％であることは要しない。所謂半
透明でも、裏側が見える限りにおいて、ここにいう透明に含まれる。
【手続補正４】
【補正対象書類名】明細書
【補正対象項目名】００１１
【補正方法】変更
【補正の内容】
【００１１】
本件の参考発明に係る映像表示装置の一態様では、前記散乱板は、透明又は半透明部分
と前記到来する光を散乱する散乱部分とを混在する形で含む。
【手続補正５】
【補正対象書類名】明細書
【補正対象項目名】００２１
【補正方法】変更
【補正の内容】
【００２１】
本件の参考発明に係る映像表示装置の他の態様では、前記散乱板は、凹凸表面を有する
。
【手続補正６】
【補正対象書類名】明細書
【補正対象項目名】００２５
【補正方法】変更
【補正の内容】
【００２５】
本件の参考発明に係る映像表示装置の他の態様では、前記投射手段は、前記裏側から斜
めに、前記投射光を照射し、前記散乱板は、前記投射光の光路を前記散乱板の法線方向に
近付ける側に曲げつつ前記表側に向けて散乱するように構成されている。
【手続補正７】
【補正対象書類名】明細書
【補正対象項目名】００３０
【補正方法】変更
【補正の内容】
【００３０】
本発明に係る映像表示装置は上記課題を解決するために、裏側から入射する光を表側に
向けて散乱可能な散乱板と、前記裏側から斜めに前記散乱板で結像するように投射光を照
射する投射手段とを備え、前記散乱板は、前記投射光の光路を前記散乱板の法線方向に近
付ける側に曲げつつ前記表側に向けて散乱するように構成されている。
【手続補正８】
【補正対象書類名】明細書
【補正対象項目名】００３１
【補正方法】変更
【補正の内容】
【００３１】
本発明に係る映像表示装置は、上述した第１の映像表示装置の他の態様と同様に、散乱
板に到来する投射光について、反射による光の損失を小さくし、散乱板に入射させ、散乱
することで散乱板の表側に進行させることが可能となる。よって、本発明の第２の映像表
示装置では、構造物の構成に対応させて投射手段の配置位置の自由度を大きく設定するこ
とができる。
【手続補正９】
【補正対象書類名】明細書
【補正対象項目名】００３２
【補正方法】変更
【補正の内容】
【００３２】
本発明に係る映像表示装置の一態様では、前記散乱板は、前記投射光の入射方向に向い
て開いている光通過用の空間を規定する第１部分と、該光通過用の空間を介して前記投射
光を前記表側に向けて散乱させる第２部分とを有する。
【手続補正１０】
【補正対象書類名】明細書
【補正対象項目名】００３６
【補正方法】変更
【補正の内容】
【００３６】
この散乱板が第１部分及び第２部分を有する態様では、前記第１部分は、前記光通過用
の空間の周囲を縁取る光反射膜を有し、前記第２部分は、前記光反射膜で反射されること
で前記投射光を前記表側に向けて散乱させる凹凸表面を有するように構成してもよい。
【手続補正１１】
【補正対象書類名】明細書
【補正対象項目名】００４１
【補正方法】変更
【補正の内容】
【００４１】
或いは散乱板が第１部分及び第２部分を有する態様では、前記第１部分は、前記光通過
用の空間内に充填された導光材料を有し、前記第２部分は、前記導光材料で導光されるこ
とで前記投射光を前記表側に向けて散乱させる凹凸表面を有するように構成してもよい。
【手続補正１２】
【補正対象書類名】明細書
【補正対象項目名】００４６
【補正方法】変更
【補正の内容】
【００４６】
本件の参考発明に係る第１の映像スクリーン装置は上記課題を解決するために、投射光
が照射されることで、映像が映し出される映像スクリーン装置であって、構造物の透明壁
の一部に内蔵されており、前記透明壁の裏側から到来する光を前記透明壁の表側に向けて
散乱可能な散乱板を備える。
【手続補正１３】
【補正対象書類名】明細書
【補正対象項目名】００４７
【補正方法】変更
【補正の内容】
【００４７】
本件の参考発明に係る映像スクリーン装置は、上述した本件の参考発明に係る映像表示
装置と同様に、散乱板の位置する透明壁の一部について、この一部の表側では、観察者の
位置に関わらず容易に映像を視認することができる。
【手続補正１４】
【補正対象書類名】明細書
【補正対象項目名】００４８
【補正方法】変更
【補正の内容】
【００４８】
本発明に係る映像スクリーン装置は上記課題を解決するために、投射光が照射されるこ
とで、映像が映し出される映像スクリーン装置であって、裏側から入射する投射光を表側
に向けて散乱可能な散乱板を備え、前記散乱板は、前記裏側から斜めに入射する前記投射
光の光路を、前記散乱板の法線方向に近付ける側に曲げつつ前記表側に向けて散乱するよ
うに構成されている。
【手続補正１５】
【補正対象書類名】明細書
【補正対象項目名】００４９
【補正方法】変更
【補正の内容】
【００４９】
本発明に係る映像スクリーン装置は、上述した本発明の第２の映像表示装置と同様に、
散乱板に到来する投射光について、反射による光の損失を小さくし、散乱板に入射させ、
散乱することで散乱板の表側に進行させることが可能となる。よって、構造物の構成に対
応させて投射手段の配置位置の自由度を大きく設定することができる。